(57)【要約】【課題】１つ以上のソース機器をＨＤＭＩケーブルを介して接続しかつＨＤＭＩ−ＣＥＣ制御線で制御するときに、ソース機器に対する機器制御機能を「使用」または「不使用」のいずれかに設定可能な場合に、利用者が意図しない動作をソース機器が起こすことを防止する。【解決手段】この映像・音声処理装置は、映像・音声を処理する第１のソース機器を接続可能な端子を備えた筺体と、筐体内に配置された第２のソース機器と、これらソース機器を制御線を通じて制御する制御装置とを有し、制御装置は、前記映像・音声処理装置または第２のソース機器がアクティブな状態になったことを示す第１のコマンドがデジタルインターフェースの制御線を通じて受信された場合、設定記憶部の設定を確認し、機器制御機能を「不使用」と設定されていた場合、第２ソース機器がアクティブな状態になったことを示す第２のコマンドを制御線へ送信しない。【選択図】図１
2011146778.tif 000002
【特許請求の範囲】
【請求項１】
映像・音声を処理する第１のソース機器を接続可能な端子を備えた筺体と、前記筐体内に配置され、映像・音声を処理する第２のソース機器と、前記端子と前記第２のソース機器にデジタルインターフェースを介して接続され、前記端子に接続された前記第１のソース機器と前記第２のソース機器を前記デジタルインターフェースの制御線を通じて制御する制御装置とを有する映像・音声処理装置であって、
前記第２のソース機器は、
自機がアクティブな状態になったことを示す第１のコマンドを、宛先を前記制御装置に限定したコマンドで前記デジタルインターフェースの制御線へ送信するコマンド送信部を備え、
前記制御装置は、
前記デジタルインターフェースの制御線を通じた機器制御機能の「使用」または「不使用」のいずれかの設定が記憶された設定記憶部と、
前記第２のソース機器からの前記第１のコマンドが前記制御線を通じて受信された場合、前記設定記憶部の設定を確認し、前記機器制御機能を「使用」と設定されている場合、前記映像・音声処理装置または前記第２ソース機器がアクティブな状態になったことを示す第２のコマンドを前記制御線へ送信する一方、前記機器制御機能を「不使用」と設定されていた場合、前記第２コマンドを送信しない制御部と
を具備することを特徴とする映像・音声処理装置。
【請求項２】
前記第１のコマンドが、ＨＤＭＩ−ＣＥＣの規格で許容されるベンダーコマンドであることを特徴とする請求項１記載の映像・音声処理装置。
【請求項３】
前記第１のコマンドが、ＨＤＭＩ−ＣＥＣの規格で許容されるデッキステータスコマンドであることを特徴とする請求項１記載の映像・音声処理装置。
【請求項４】
映像・音声を処理する第１のソース機器を接続可能な端子を備えた筺体と、前記筐体内に配置され、映像・音声を処理する第２のソース機器と、前記端子と前記第２のソース機器にデジタルインターフェースを介して接続され、前記端子に接続された前記第１のソース機器と前記第２のソース機器を前記デジタルインターフェースの制御線を通じて制御する制御装置とを有する映像・音声処理装置による映像・音声処理方法であって、
前記第２のソース機器は、
前記第２のソース機器がアクティブな状態になったことを示す第１のコマンドを、宛先を前記制御装置に限定したコマンドで前記デジタルインターフェースの制御線へ送信し、
前記制御装置は、
前記デジタルインターフェースの制御線を通じた機器制御機能の「使用」または「不使用」のいずれかの設定を設定記憶部に記憶しておき、
前記第２のソース機器からの前記第１のコマンドが前記制御線を通じて受信された場合、前記設定記憶部の設定を確認し、前記機器制御機能を「使用」と設定されている場合、前記映像・音声処理装置または前記第２ソース機器がアクティブな状態になったことを示す第２のコマンドを前記制御線へ送信する一方、前記機器制御機能を「不使用」と設定されていた場合、前記第２コマンドを送信しないことを特徴とする映像・音声処理方法。
【発明の詳細な説明】
【技術分野】
【０００１】
本発明は、映像・音声などの信号を処理するデジタルインターフェースを有する映像・音声処理装置および映像・音声処理方法に関する。
【背景技術】
【０００２】
近年、映像・音声処理装置としてのテレビジョン受信機は高機能化され、映像・音声信号と制御信号とを１本のケーブルで送受信できるデジタルインターフェース（例えば、ＨＤＭＩ（High-Definition Multimedia Interface）入力端子）を備えたものが商品化されている。High-Definition Multimedia InterfaceおよびＨＤＭＩは登録商標である。
【０００３】
ＨＤＭＩケーブルには、機器間でコマンドを送受信するためのＣＥＣ（Consumer Electronics Control）制御線が通常１本（１ｃｈ）設けられている。このＣＥＣでは、各ベンダーに共通するコマンド（制御信号）が規定されている他、各ベンダーが製品の機能を拡張できるように独自にコマンドを規定することもできる仕様となっている。なお、以下の説明では、ＣＥＣ制御線が設けられたＨＤＭＩケーブルをＨＤＭＩ−ＣＥＣ制御線と称する。
【０００４】
ＨＤＭＩ−ＣＥＣ制御線を用いた制御は、以下の手順で行われる。テレビジョン受信機に設けられたＨＤＭＩ端子にレコーダやプレーヤ等のソース機器が接続されると、テレビジョン受信機とソース機器間でコマンドをやりとりし、通信用のアドレスをソース機器に付与する。次に、テレビジョン受信機からコマンドを送信する際に、先に付与したアドレスを指定することでソース機器の機能制御を行う。
【０００５】
ＨＤＭＩ−ＣＥＣ制御に関してユーザの利便性を向上させるための従来の技術として、例えばＨＤＭＩ−ＣＥＣによる制御を使用するかどうかの設定（以下「ＣＥＣ連動設定」と称す）をユーザの好みに応じて選択可能にしたものがある（例えば特許文献１）。
この技術では、ＣＥＣ連動設定をＯＮにすると、接続されている全ての機器に対するＨＤＭＩ−ＣＥＣ制御機能が有効となり、ＣＥＣ連動設定をＯＦＦにすると、接続されている全ての機器に対するＨＤＭＩ−ＣＥＣ制御機能が無効となる。
【先行技術文献】
【特許文献】
【０００６】
【特許文献１】特開２００９−７１３９６号公報（段落［０００７］等）
【発明の概要】
【発明が解決しようとする課題】
【０００７】
ところで、近年では、ＤＶＤプレーヤ等のソース機器をテレビジョン受信機などの映像・音声処理装置に内蔵する試みが行われている。例えばＤＶＤプレーヤ等のソース機器を映像・音声処理装置に内蔵し、かつ外部接続用のＨＤＭＩ入力端子を設けることでソース機器の外部接続も可能とするような場合、内蔵するソース機器と外部接続のソース機器とを１本のＨＤＭＩ−ＣＥＣ制御線で接続して制御することが考えられる。
【０００８】
この場合、上述した従来の技術では、接続されている全ての機器のＨＤＭＩ−ＣＥＣ制御機能を有効か無効のいずれかに設定するだけのため、ＨＤＭＩ−ＣＥＣ制御機能を無効にしてしまうと、内蔵するソース機器まで使用できなくなり、ユーザの利便性が損なわれるという問題がある。このため、内蔵するソース機器の制御をＨＤＭＩ−ＣＥＣ制御線とは別に設けた専用線で行う場合、内蔵するソース機器の制御と外部接続されるソース機器のＨＤＭＩ−ＣＥＣ制御とのための連携機能部品を開発する必要があり、コスト高になるという問題がある。
【０００９】
本発明はこのような課題を解決するためになされたもので、１つ以上のソース機器をデジタルインターフェースを介して接続しかつデジタルインターフェースの制御線で制御するときに、ソース機器に対する機器制御機能を「使用」または「不使用」のいずれかに設定可能な場合に、利用者が意図しない動作をソース機器が起こすことを防止することのできる映像・音声処理装置および映像・音声処理方法を提供することを目的とする。
【課題を解決するための手段】
【００１０】
本発明の一実施形態に係る映像・音声処理装置は、映像・音声を処理する第１のソース機器を接続可能な端子を備えた筺体と、前記筐体内に配置され、映像・音声を処理する第２のソース機器と、前記端子と前記第２のソース機器にデジタルインターフェースを介して接続され、前記端子に接続された前記第１のソース機器と前記第２のソース機器を前記デジタルインターフェースの制御線を通じて制御する制御装置とを有する映像・音声処理装置であって、前記第２のソース機器は、自機がアクティブな状態になったことを示す第１のコマンドを、宛先を前記制御装置に限定したコマンドで前記デジタルインターフェースの制御線へ送信するコマンド送信部を備え、前記制御装置は、前記デジタルインターフェースの制御線を通じた機器制御機能の「使用」または「不使用」のいずれかの設定が記憶された設定記憶部と、前記第２のソース機器からの前記第１のコマンドが前記制御線を通じて受信された場合、前記設定記憶部の設定を確認し、前記機器制御機能を「使用」と設定されている場合、前記映像・音声処理装置または前記第２ソース機器がアクティブな状態になったことを示す第２のコマンドを前記制御線へ送信する一方、前記機器制御機能を「不使用」と設定されていた場合、前記第２コマンドを送信しない制御部とを具備することを特徴とする。
【００１１】
本発明の一実施形態に係る映像・音声処理方法は、映像・音声を処理する第１のソース機器を接続可能な端子を備えた筺体と、前記筐体内に配置され、映像・音声を処理する第２のソース機器と、前記端子と前記第２のソース機器にデジタルインターフェースを介して接続され、前記端子に接続された前記第１のソース機器と前記第２のソース機器を前記デジタルインターフェースの制御線を通じて制御する制御装置とを有する映像・音声処理装置による映像・音声処理方法であって、前記第２のソース機器は、前記第２のソース機器がアクティブな状態になったことを示す第１のコマンドを、宛先を前記制御装置に限定したコマンドで前記デジタルインターフェースの制御線へ送信し、前記制御装置は、前記デジタルインターフェースの制御線を通じた機器制御機能の「使用」または「不使用」のいずれかの設定を記憶しておき、前記第２のソース機器からの前記第１のコマンドが前記制御線を通じて受信された場合、前記設定保持部の設定を確認し、前記機器制御機能を「使用」と設定されている場合、前記映像・音声処理装置または前記第２ソース機器がアクティブな状態になったことを示す第２のコマンドを前記制御線へ送信する一方、前記機器制御機能を「不使用」と設定されていた場合、前記第２コマンドを送信しないことを特徴とすることを特徴とする。
【発明の効果】
【００１２】
本発明によれば、１つ以上のソース機器をデジタルインターフェースを介して接続しかつデジタルインターフェースの制御線で制御するときに、ソース機器に対する機器制御機能を「使用」または「不使用」のいずれかに設定可能な場合に、利用者が意図しない動作をソース機器が起こすことを防止することができる。
【図面の簡単な説明】
【００１３】
【図１】本発明の一実施形態のＢＤプレーヤ内蔵ＴＶの構成を示す図である。
【図２】アドレス取得動作を示すフローチャートである。
【図３】アドレス取得動作を示すタイミングチャートである。
【図４】各ソース機器を操作したときの動作を示すフローチャートである。
【発明を実施するための形態】
【００１４】
以下、図面を参照して、本発明の映像・音声処理装置の一つの実施の形態のＢＤプレーヤ内蔵テレビジョン装置（以下「ＢＤプレーヤ内蔵ＴＶ」と称す）を詳細に説明する。図１はＢＤプレーヤ内蔵ＴＶの構成を示す図である。
【００１５】
図１に示すように、この実施形態のＢＤプレーヤ内蔵ＴＶは、映像表示用のディスプレイ３７およびSony Philips Digital InterFace４０（以下「Ｓ／ＰＤＩＦ４０」と称す）等の出力部、この出力部に出力する情報を生成する機能部品を収容したＴＶ筐体１、および、このＴＶ筐体１に設けられた外部接続用のＨＤＭＩ入力端子１９と電源ユニット８とを有する。なお、端子の数は複数（２つ以上）設けてもよい。Ｓ／ＰＤＩＦは音声のデジタル信号を入出力するための機器間のインターフェース規格である。
【００１６】
電源ユニット８は、家庭の壁コンセントなどの商用電源から供給される一次電源（交流１００Ｖ）をＡＣ／ＤＣ変換する。電源ユニット８は、このＡＣ／ＤＣ変換した動作用の電力（直流＋１２Ｖ、＋５Ｖ等）をＢＤユニット２（第２のソース機器）およびＴＶユニット３へ供給する。
【００１７】
外部接続用のＨＤＭＩ入力端子１９には、外部ソース機器（例えばＤＶＤプレーヤ４、ＡＶアンプ５０、ＢＤプレーヤ、レコーダ、ＡＶセレクタ…等）が汎用のＨＤＭＩケーブル７を介して着脱自在に接続される。
【００１８】
ＴＶ筐体１内には、ＨＤＭＩ入力端子１９から内部配線用のＨＤＭＩケーブル６が接続され、ＴＶユニット３へ配線されている。ＨＤＭＩケーブル６には、ＨＤＭＩ−ＣＥＣ制御線１３、映像・音声のデータ線１７の他、ホットプラグ検出線（ＨＰＤ線）、＋５Ｖ電源線等が含まれる。ＨＰＤ線は制御装置３０から各ソース機器へＨＰＤ信号が送られる線である。＋５Ｖ電源線は電源投入されたソース機器から制御装置３０へ＋５Ｖの電圧が印加される線である。
【００１９】
ＨＤＭＩ−ＣＥＣ制御線１３は、外部ソース機器と内蔵ソース機器とが物理的に共通する配線（１本の配線を２つに分岐させた状態）で接続される。このＨＤＭＩ−ＣＥＣ制御線１３を介してコマンド（制御信号）をやりとりすることで、内外に接続されたソース機器の動作制御、切り替え制御等を行うことができる。
【００２０】
コマンドとしては、例えば個々のベンダーで個別の機能制御などに利用するためのベンダーコマンド、デッキコントロールコマンド、プレイフォワードコマンド、アクティブソースコマンドなどがある。ベンダーコマンド、デッキコントロールコマンドおよびプレイフォワードコマンドはダイレクトコマンドであり、宛先を特定したコマンドである。デッキコントロールコマンドは、機器を個別の機器から制御するためのコマンドであり、例えばリモートコントローラ６０（以下「リモコン６０」と称す）からＢＤユニット２へのディスク再生、停止など、ボタン操作に応じた動作を行わせるためのコマンドである。
【００２１】
ＴＶユニット３は、制御装置３０、内部配線のＨＤＭＩケーブル５，６が接続されたＨＤＭＩレシーバ３２、アンテナに接続されたＴＶチューナー３５、映像・音声処理ユニット３６、ディスプレイ３７、Ｓ／ＰＤＩＦ４０などを有している。
【００２２】
ＨＤＭＩレシーバ３２は、ＨＤＭＩ入力端子２９（ＨＤＭＩケーブル５）への内蔵ソース機器（ＢＤユニット２）の接続を検出し、接続が検出されたＢＤユニット２に対するＨＰＤ信号をde-assert（停止状態）からAsserted（アクティブな状態）へ変化させるホットプラグ検出部として機能する。ＨＰＤ信号はＨＤＭＩケーブル５のＨＰＤ線を通じてＢＤユニット２へ送られる。
【００２３】
またＨＤＭＩレシーバ３２は、ＨＤＭＩ入力端子１９（ＨＤＭＩケーブル６），ＨＤＭＩ入力端子３９への外部ソース機器（ＡＶアンプ５０およびＤＶＤプレーヤ４等：第１のソース機器）の接続を検出し、接続が検出された外部のソース機器に対するＨＰＤ信号をde-assert（停止状態）からAsserted（アクティブな状態）へ変化させるホットプラグ検出部として機能する。ＨＰＤ信号はＨＤＭＩケーブル６，７のＨＰＤ線を通じて外部のソース機器へ送られる。
【００２４】
ＴＶチューナー３５は、アンテナから入力されたテレビジョン放送を受信し、受信した番組の映像・音声を映像・音声処理ユニット３６に出力する。ＴＶチューナー３５は、デジタルチューナーまたはアナログチューナーの少なくとも一方を備える。また、デジタルチューナーまたはアナログチューナーは、それぞれ複数実装されていてもよい。
【００２５】
映像・音声処理ユニット３６は、ＴＶチューナー３５から入力される映像・音声のデジタルデータまたはアナログ信号、およびＨＤＭＩレシーバ３２から入力される映像・音声のデジタルデータをそれぞれ再生する。
【００２６】
映像・音声処理ユニット３６は、制御装置３０により制御されて、ＴＶチューナー３５とＨＤＭＩレシーバ３２からそれぞれ入力されるデータまたは信号を切り替えてディスプレイ３７およびＳ／ＰＤＩＦ４０へ出力する。また、映像・音声処理ユニット３６は、ＣＥＣ連動設定の選択画面をディスプレイ３７に表示する。
【００２７】
ユーザは、ディスプレイ３７に表示されたＣＥＣ連動設定の選択画面にて、リモコン６０やＴＶ筺体１に設けられた図示しない操作ボタンを操作してＣＥＣ連動設定のＯＮ（使用）またはＯＦＦ（不使用）のいずれかを選択すると、制御装置３０のシステム制御ユニット３１が、メモリ３４の連動設定記憶部３４ａにＣＥＣ連動設定（ＯＮ（使用）またはＯＦＦ（不使用））を設定する。マルチ画面表示機能を有する場合、映像・音声処理ユニット３６は、分割した複数の画面にそれぞれに異なる入力ソース（映像ソース）を表示するよう再生処理する。
【００２８】
ディスプレイ３７は、映像・音声処理ユニット３６により再生処理された映像を画面に表示する。Ｓ／ＰＤＩＦ４０は、映像・音声処理ユニット３６により再生処理された音声信号を外部へ出力する端子である。Ｓ／ＰＤＩＦ４０は、同軸ケーブルまたは光ファイバーケーブルを介してＡＶアンプ５０に接続されている。
【００２９】
制御装置３０は、システム制御ユニット３１と、ＣＥＣ制御ユニット３３と、メモリ３４とを有している。メモリ３４は連動設定記憶部３４ａとアドレス記憶部３４ｂを有している。
【００３０】
連動設定記憶部３４ａには、ＣＥＣ連動設定（ＯＮ（使用）またはＯＦＦ（不使用）の内容、つまり設定データが記憶される。すなわち、連動設定記憶部３４ａには、ソース機器に対する、ＨＤＭＩ−ＣＥＣ制御線１３を通じた機器制御機能の「使用」または「不使用」のいずれかの設定データが記憶されている。
【００３１】
アドレス記憶部３４ｂには、各ソース機器が取得可能な論理アドレス「０」〜「１５」および各ＨＤＭＩの物理アドレス「１．０．０．０」、「２．０．０．０」、所定のソース機器の物理アドレス、この例ではＢＤユニット２の物理アドレス等が予め記憶されている。
【００３２】
接続時に各ソース機器に付与される物理アドレスは機器固有のものではなく、当該機器の接続位置（接続ポート）に応じて制御装置３０のＣＥＣ制御ユニット３３が決定し、各ソース機器へ付与する。ＢＤユニット２には、ＨＤＭＩケーブル５が接続されるポートの物理アドレスとして、例えば「１．０．０．０」が付与され、外部接続されるＡＶアンプ５０には、ＨＤＭＩケーブル６に接続したときに、ＨＤＭＩケーブル６が接続されるポートの物理アドレスとして、例えば「２．０．０．０」等が付与される。
【００３３】
アドレス記憶部３４ｂは、通信用アドレス取得動作によりソース機器が決定し通知した通信用アドレス（ソース機器の物理アドレスと論理アドレスとの対）を記憶可能な通信用アドレスメモリである。
【００３４】
システム制御ユニット３１は、受付ユニット１０で受け付けられたリモコン操作のコマンドに応じたＴＶユニット３内部の制御を行うと共に、リモコン操作のコマンド（ＢＤユニット２への再生操作のコマンドやＣＥＣ連動設定の選択操作のコマンド）ＣＥＣ制御ユニット３３に渡す。システム制御ユニット３１は、ＢＤユニット２への再生操作のコマンドであれば、映像・音声処理ユニット３６を制御してＢＤユニット２から入力される映像・音声のデータを再生処理させ、映像信号をディスプレイ３７に出力させ、音声信号をＳ／ＰＤＩＦ４０に出力させる。
【００３５】
ＣＥＣ制御ユニット３３は、受け取ったコマンドに応じてＨＤＭＩケーブル５，６からの共通の制御線であるＨＤＭＩ−ＣＥＣ制御線１３を通じて各ユニットを制御する。
【００３６】
また、ＢＤユニット２への再生操作のコマンドであれば、ＣＥＣ制御ユニット３３は、ＢＤユニット２へＰｌａｙコマンドを送信する。
そして、ＢＤユニット２（第２のソース機器）へ再生を指示したＰｌａｙコマンドに対するメッセージ応答がベンダーコマンドでＨＤＭＩ−ＣＥＣ制御線１３を通じて受信された場合、ＣＥＣ制御ユニット３３は、連動設定記憶部３４ａの設定データを確認し、ＣＥＣ連動設定が「ＯＮ」、つまりＣＥＣ制御による機器制御機能を使用する「使用」と設定されている場合、ＴＶ００ユニット３またはＢＤユニット２がアクティブな状態になったことを示すアクティブソースコマンド（第２のコマンド）をブロードキャストコマンドでＨＤＭＩ−ＣＥＣ制御線１３へ送信する。
一方、ＣＥＣ連動設定が「ＯＦＦ」、つまりＣＥＣ制御による機器制御機能を使用しない「不使用」と設定されていた場合、ＣＥＣ制御ユニット３３は、アクティブソースコマンド（第２のコマンド）をＨＤＭＩ−ＣＥＣ制御線１３へ送信しない。
【００３７】
すなわち、ＣＥＣ制御ユニット３３はＢＤユニット２からベンダーコマンドを受信したときに、ＨＤＭＩ−ＣＥＣによる機器制御を「使用」または「不使用」のいずれかが設定された連動設定記憶部３４ａの設定内容を確認し、連動設定記憶部３４ａの設定が「使用」と設定されている場合は、TVユニット３またはＢＤユニット２がアクティブな状態になったことを示すアクティブソースコマンドを送信し、連動設定記憶部３４ａの設定が「不使用」と設定されていた場合はアクティブソースコマンドを送信しない。
【００３８】
ＣＥＣ制御ユニット３３は、ソース機器接続時に、ＨＤＭＩ−ＣＥＣ制御線１３を通じてソース機器から受信されたアドレス決定通知に含まれる通信用アドレスを抽出し、アドレス記憶部３４ｂに記憶する。それ以降、ＣＥＣ制御ユニット３３は、アドレス記憶部３４ｂに記憶した通信用アドレスを用いてソース機器に対する通信制御を行う。
【００３９】
ＴＶユニット３には、ＢＤユニット２にＨＤＭＩケーブル５を介して接続されたＨＤＭＩ入力端子２９と、ＨＤＭＩケーブル６を介してＨＤＭＩ入力端子１９に接続されたＨＤＭＩ入力端子３９が設けられている。
【００４０】
ＨＤＭＩ入力端子２９には、例えばブルーレイディスク（以下「ＢＤ」と称す）やＤＶＤ等といったディスク状記録媒体（ＢＤディスクなど）に記録された情報を読み出して再生するＢＤプレーヤユニット２（以下「ＢＤユニット２」と称す）等の内蔵ソース機器が、内部配線用のＨＤＭＩケーブル５を介して接続されている。またＨＤＭＩ入力端子２９は、各内部配線を介して制御装置３０に接続されている。
【００４１】
ＨＤＭＩケーブル５の配線としては、例えばＨＤＭＩ−ＣＥＣ制御線１３、映像・音声のデータ線１７等の他、ホットプラグ検出線（以下「ＨＰＤ線」と称す）、＋５Ｖ電源線等がある。
【００４２】
ＢＤユニット２は、ＣＥＣ制御ユニット２３と候補メモリ２１と保持部２２とを有している。ＢＤユニット２としては、例えばＢＤの映像・音声を再生する装置だけでなく、ＢＤに対して映像・音声を記録する装置も含まれる。ブルーレイおよびブルーレイディスクは登録商標である。
【００４３】
候補メモリ２１は、電源供給されなくなった場合も保持可能な例えばＥＥＰＲＯＭなどにより実現されている。候補メモリ２１には、このＢＤユニット２が取得可能な少なくとも一つの論理アドレスの候補が予め記憶されている。
【００４４】
ＨＤＭＩ−ＣＥＣ規格では、接続機器に割り当てられる論理アドレスがデバイスタイプ毎に決められており、この例のようにＢＤユニット２などではデバイスタイプが「Playback Device」であり、この場合、論理アドレスとして「４」と「８」と「１１」が取得可能である。この例では、これら３つのアドレス「４」，「８」，「１１」が候補メモリ２１に記憶されているものとする。
【００４５】
保持部２２は、ＲＡＭにより実現されており、決定した通信用アドレス（物理アドレスと論理アドレスの対）が保持される。保持部２２がＲＡＭのため、通信用アドレスの保持期間はアドレス取得後、電源供給が停止するまでである。
【００４６】
ＣＥＣ制御ユニット２３は、ＨＰＤ信号がアクティブな状態に変化すると、ポートに応じて与えられたソース機器（ＢＤユニット２）の物理アドレスと、候補メモリ２１から、一定の順序で読み出した一つの通信用の論理アドレスの候補（例えば「４」など）を含めたアドレス取得要求のポーリング動作を、ＨＤＭＩケーブル５を通じて行う。一定の順序とは、例えば小さい値から大きな値、または大きい値から小さな値といった順序である。
【００４７】
その後、他のソース機器（例えばＤＶＤプレーヤ４等）から、候補の論理アドレスが使用中である旨の応答（ACK）が受信されなかった場合、ＣＥＣ制御ユニット２３は、その候補を通信用の論理アドレスとして決定し、決定した論理アドレスとＢＤユニット２の物理アドレスを含む通信用アドレスをアドレス決定通知に含ませて、ＨＤＭＩ−ＣＥＣ制御線１３を通じて制御装置３０のＣＥＣ制御ユニット３３へ送信する。
【００４８】
ＣＥＣ制御ユニット２３は、自機（ＢＤユニット２）がアクティブな状態になったことを示す第１のコマンドを、宛先を制御装置３０に限定したダイレクトコマンドでＨＤＭＩ−ＣＥＣ制御線１３へ送信するコマンド送信部として機能する。第１のコマンドはベンダーコマンドによるメッセージ応答である。
【００４９】
すなわち、ＣＥＣ制御ユニット２３は、映像の再生を開始するなどの動作によりＢＤユニット２がアクティブな状態になったことをＣＥＣ規格で定義されるアクティブソースコマンドを送信せず、ベンダーコマンドで制御装置３０のＣＥＣ制御ユニット３３へ直接通知する。
【００５０】
ＨＤＭＩ入力端子１９には外部接続のソース機器としてのＡＶアンプ５０が接続されている。ＡＶアンプ５０は、候補メモリ５１、ＣＥＣ制御ユニット５３、ＨＤＭＩ入力端子５９等を有している。この他、ＡＶアンプ５０は、Ｓ／ＰＤＩＦと、このＳ／ＰＤＩＦから入力された音声データをアナログ信号に変換し増幅するアンプ部と、このアンプ部により増分された音声のアナログ信号をスピーカ５６へ出力する音声出力端子等を有している。このＡＶアンプ５０は、スピーカ５６へ出力するソース（音声信号）を切り替える切替機器である。
【００５１】
候補メモリ５１には、論理アドレスの候補（例えば「５」等）が記憶されている。ＨＤＭＩ−ＣＥＣ規格では、接続機器に割り当てられる論理アドレスがデバイスタイプ毎に決められており、この例のようにＡＶアンプ５０などではデバイスタイプが「Audio System」であり、この場合、論理アドレスとして「５」が取得可能である。この例では、このアドレス「５」が候補メモリ５１に記憶されている。
【００５２】
ＣＥＣ制御ユニット５３は、ＨＰＤ信号がアクティブな状態に変化すると、このＡＶアンプ５０に与えられた物理アドレス（自機の物理アドレス）と、候補メモリ５１から読み出した論理アドレスの候補（例えば「５」など）とを含めたアドレス取得要求のポーリング動作を、ＨＤＭＩケーブル６，７を通じて行う。
【００５３】
他のソース機器（例えばＢＤユニット２、ＤＶＤプレーヤ４等）から候補の論理アドレスが使用中である旨の応答（ACK）が受信されなかった場合、ＣＥＣ制御ユニット５３は、その候補「５」を通信用の論理アドレスとして決定し、決定したＡＶアンプ５０の論理アドレスと物理アドレスを含む通信用アドレスをアドレス決定通知に含ませて、ＨＤＭＩ−ＣＥＣ制御線１３を通じて制御装置３０のＣＥＣ制御ユニット３３へ送信する。
【００５４】
ＣＥＣ制御ユニット５３は、自機に接続されたＤＶＤプレーヤ４（第１のソース機器）からの音声をスピーカ５６へ出力中に、ＴＶユニット３またはＢＤユニット２（第２のソース機器）がアクティブな状態になったことを示すアクティブソースコマンド（第２のコマンド）が受信された場合、スピーカ５６への出力を、Ｓ／ＰＤＩＦ４０から入力されるＴＶユニット３からの音声に切り替える制御部として機能する。
【００５５】
ＡＶアンプ５０のＨＤＭＩ入力端子５９には外部接続のソース機器としてのＤＶＤプレーヤ４が接続されている。ＤＶＤプレーヤ４は、候補メモリ４１、ＣＥＣ制御ユニット４３等を有している。
【００５６】
候補メモリ４１には、ＤＶＤプレーヤ４が取得可能な少なくとも一つの論理アドレスの候補が予め記憶されている。
【００５７】
ＨＤＭＩ−ＣＥＣ規格では、接続機器に割り当てられる論理アドレスがデバイスタイプ毎に決められており、この例のようにＤＶＤプレーヤ４などではデバイスタイプが「Playback Device」であり、この場合、論理アドレスとして「４」と「８」と「１１」が取得可能である。この例では、これら３つのアドレス「４」，「８」，「１１」が候補メモリ４１に記憶されているものとする。
【００５８】
ＣＥＣ制御ユニット４３は、ＨＰＤ信号がアクティブな状態に変化すると、このＤＶＤプレーヤ４に与えられた物理アドレスと、候補メモリ４１から一定の順序で読み出した一つの通信用の論理アドレスの候補（例えば「４」など）を含めたアドレス取得要求のポーリング動作を、ＨＤＭＩケーブル６，７を通じて行う。
【００５９】
他のソース機器（例えばＢＤユニット２等）から候補の論理アドレスが使用中である旨の応答（ACK）が受信された場合、ＣＥＣ制御ユニット５３は、次の論理アドレスの候補（例えば「８」など）を読み出し、そのアドレスを含めたアドレス取得要求のポーリング動作を、ＨＤＭＩケーブル６，７を通じて再度行う。
【００６０】
そして、他のソース機器（例えばＢＤユニット２等）から候補の論理アドレスが使用中である旨の応答（ACK）が受信されなかった場合、ＣＥＣ制御ユニット５３は、その候補「８」を通信用の論理アドレスとして決定し、決定したＤＶＤプレーヤの論理アドレス「８」と物理アドレスを含む通信用アドレスをアドレス決定通知に含ませて、ＨＤＭＩ−ＣＥＣ制御線１３を通じて制御装置３０のＣＥＣ制御ユニット３３へ送信する。
【００６１】
すなわち、ＣＥＣ制御ユニット２３，４３，５３は、ＨＰＤ信号がde-assertからAssertedに変化すると、候補メモリ２１，４１，５１から通信用アドレスの候補を一つずつ読み出し、その候補を用いて通信用アドレス取得処理をポーリングで行い、決定した通信用アドレスを、ＨＤＭＩ−ＣＥＣ制御線１３を通じて制御装置３０へ通知する。
【００６２】
（ソース機器によるアドレス取得動作）
図２、図３を参照してこの実施形態のアドレス取得動作について説明する。図２はソース機器によるアドレス取得動作を示すフローチャート、図３はソース機器によるアドレス取得動作を示すタイミングチャートである。なお、ＣＥＣ制御ユニット２３，４３，５３による論理アドレスの取得動作はほぼ同じである。このため、ここでは、内蔵のＢＤユニット２のＣＥＣ制御ユニット２３による論理アドレス（Logical address）の取得動作について説明し、ＣＥＣ制御ユニット４３，５３による論理アドレスの取得動作については重複した説明を省略する。
【００６３】
このＢＤプレーヤ内蔵ＴＶでは、家庭の壁コンセントなどの商用電源に、このＴＶ筐体１から引き出されたＡＣコンセントが差し込まれ、電源ユニット８に一次電源が供給されると、電源ユニット８から動作用の電力がＢＤユニット２およびＴＶユニット３へ供給される（ステップＳ１０１）。
【００６４】
ＣＥＣ制御ユニット２３は、ＴＶユニット３側からＨＤＭＩ−ＣＥＣ制御線１３を通じて入力されるＨＰＤ信号がAsserted（アクティブな状態）となるのを待機する（ステップＳ１０２）。
【００６５】
電源ユニット８から動作用の電力がＴＶユニット３へ供給されると、ＴＶユニット３では、ＨＤＭＩレシーバ３２がＢＤユニット２へのＨＰＤ信号をde-assert（停止状態）からAsserted（アクティブな状態）へ変化させる（ステップＳ１０２のＹｅｓ）。
【００６６】
ＨＰＤ信号がde-assert（停止状態）からAsserted（アクティブな状態）に変化すると、ＢＤユニット２のＣＥＣ制御ユニット２３は、与えられた物理アドレスを候補メモリ２１から読み出し（ステップＳ１０３）、続いて、候補メモリ２１のアドレス候補の中から、通常は値の小さなアドレス「４」を一つ読み込み（ステップＳ１０４）、Logical address（論理アドレス）の取得動作を行う（ステップＳ１０５）。
【００６７】
なお、上述した論理アドレスの取得動作では、ＣＥＣ制御ユニット２３は、読み込んだアドレス「４」が、他のソース機器（この実施形態では、ＤＶＤプレーヤ４）に取得されていないかどうかを確かめるため、アドレス「４」を取得するためのポーリング動作を行う。ＣＥＣ制御ユニット２３は、ポーリング動作後、他のソース機器から応答（ACK）がない場合、アドレス「４」が使用されていないものとして、論理アドレスとしてアドレス「４」を設定する。
【００６８】
また、ポーリング動作後、他のソース機器から応答（ACK）があった場合、アドレス「４」が使用されているものとして、次の候補アドレス「８」を読み出す。以下、同様の動作を行い、ポーリング動作後、他のソース機器から返信がない場合には、論理アドレスとしてアドレス「８」を設定する。
【００６９】
ＣＥＣ制御ユニット２３は、論理アドレスを例えば「４」に設定すると、設定したアドレス「４」とPhysical addressを含む通信用アドレスをアドレス決定通知としてＴＶユニット３のＣＥＣ制御ユニット３３へ送信する（ステップＳ１０６）。
【００７０】
ＴＶユニット３のＣＥＣ制御ユニット３３は、ＣＥＣ制御ユニット２３から送信されたアドレス決定通知に含まれる通信用アドレス（論理アドレスおよび物理アドレス）を抽出し、アドレス記憶部３４ｂに記憶する。それ以降、ＣＥＣ制御ユニット３３は、アドレス記憶部３４ｂに記憶した通信用アドレスを用いてＢＤユニット２に対する通信制御を行う。
【００７１】
続いて、図４を参照してこのＢＤプレーヤ内蔵ＴＶにてユーザが外部接続のＤＶＤプレーヤ４によるＣＤ再生操作とＢＤユニット２によるＢＤ映像の再生操作をしたときの動作を説明する。図４は各ソース機器（ＴＶユニット３、ＢＤユニット２、ＡＶアンプ５０等）の制御動作を示すフローチャートである。
【００７２】
このＢＤプレーヤ内蔵ＴＶでは、ユーザは、まず外部接続のＤＶＤプレーヤ４にＣＤをセットし、ＣＤのコンテンツ、つまり音楽を再生するものとする。
ＤＶＤプレーヤ４において、ユーザによってＣＤの再生操作が行われると、ＣＥＣ制御ユニット４３は、アクティブソースコマンドをＨＤＭＩ−ＣＥＣ制御線１３を通じてＡＶアンプ５０およびＴＶユニット３へ送信する。
【００７３】
ＡＶアンプ５０では、ＤＶＤプレーヤ４からアクティブソースコマンドがＣＥＣ制御ユニット５３に受信されると（図４のステップＳ２０１）、ＣＥＣ制御ユニット５３は入力ソースをＤＶＤプレーヤ４へ切り替え（ステップＳ２０２）、スピーカ５６からはＤＶＤプレーヤ４により再生されたＣＤの音楽が出力されるようになる。このとき、ディスプレイ３７には映像は表示されない。
【００７４】
次に、ユーザは、内蔵のＢＤユニット２にセットされたＢＤの高画質の映像をディスプレイ３７に表示させようとして、リモコン６０によりＢＤの再生操作を行うと、再生操作のコマンドが受付ユニット１０により受け付けられて、ＴＶユニット３のシステム制御ユニット３１に入力され（ステップＳ２０３）、ＣＥＣ制御ユニット３３へ渡される。
ＣＥＣ制御ユニット３３は、再生操作のコマンドが入力されると、Ｐｌａｙコマンド（デッキコントロールコマンド）をＢＤユニット２へ送信する（ステップＳ２０４）。
【００７５】
ＢＤユニット２では、Ｐｌａｙコマンドが受信されると、ＣＥＣ制御ユニット２３は、通常ならば、アクティブソースコマンド（ブロードキャスト）で応答を返すところを、本実施形態では、ＢＤユニット２がアクティブな状態になったことを示すメッセージ応答を、ベンダーコマンドでＴＶユニット３へダイレクトに返信し、これと同時にＢＤの映像の再生を行う（ステップＳ２０５）。
【００７６】
ＴＶユニット３では、コマンドをＣＥＣ制御ユニット３３が受け取ると（ステップＳ２０６）、ＣＥＣ制御ユニット３３は、まず始めにそのコマンドの種別と宛先を判定する（ステップＳ２０７）。
【００７７】
コマンドの種別判定する場合、初めの１バイトに含まれる送信元アドレスおよび送信先アドレスから、受信したコマンドがブロードキャストコマンドかダイレクトコマンドかを確認する。ブロードキャストコマンドかどうかは、送信先アドレスが“Ｆ（１６進数）”であるかどうかで確認できる。ブロードキャストコマンドであれば、送信先アドレスが“Ｆ”となっている。
【００７８】
受信されたコマントがダイレクトコマンド、つまりＢＤユニット２からのメッセージ応答のベンダーコマンドであった場合（ステップＳ２０８のＹｅｓ）、ＣＥＣ制御ユニット３３は、受信したコマンドの送信先が自機宛（宛先がメモリに記憶されている物理アドレスと一致）か否かを確認する。受信したコマンドの送信先が自機宛の場合、ＣＥＣ制御ユニット３３は、メモリ３４の連動設定記憶部３４ａを参照してＣＥＣ連動設定が「ＯＮ」か「ＯＦＦ」かを確認する（ステップＳ２０９）。
【００７９】
ＣＥＣ連動設定が「ＯＦＦ」（ステップＳ２１０のＮｏ）、つまり機器制御機能を「不使用」とされていた場合、ＣＥＣ制御ユニット３３は、ＢＤユニット２がアクティブな状態になったことを示すアクティブソースコマンドを送信しない。つまりＣＥＣ制御ユニット３３は、ＨＤＭＩ接続のソース機器に対する制御動作を何も起こさない。したがって、ＡＶアンプ５０は入力ソースの切り替えをせず、スピーカ５６からＣＤの音楽が出力されたまま、ＢＤの再生映像がディスプレイ３７に表示されることになる。この動作はユーザが意図した動作である。
【００８０】
一方、ＣＥＣ連動設定が「ＯＮ」、つまり機器制御機能を「使用」するとされていた場合（ステップＳ２１０のＹｅｓ）、ＣＥＣ制御ユニット３３は、ＢＤユニット２がアクティブな状態になったことを示すアクティブソースコマンドをＢＤユニット２に代わりＨＤＭＩ−ＣＥＣ制御線１３へ送信する（ステップＳ２１１）。
【００８１】
この際、ＣＥＣ制御ユニット３３は、メモリ３４のアドレス記憶部３４ｂを参照してＢＤユニット２の論理アドレスを取得済みであるかどうかを確認し、ＢＤユニット２の論理アドレスを取得済みである場合、受信したコマンドの送信元アドレスが、アドレス記憶部３４ｂに記憶されているＢＤユニット２の論理アドレスと一致するかどうか、つまり送信元アドレスがＢＤユニット２であるかどうかを確認し、受信したコマンドの送信元アドレスが、アドレス記憶部３４ｂに記憶されていたＢＤユニット２の論理アドレスと一致した場合に、ＢＤユニット２がアクティブになったことを示すアクティブソースコマンドをＨＤＭＩ−ＣＥＣ制御線１３へ送信するようにしてもよい。
【００８２】
ＡＶアンプ５０では、ＢＤユニット２がアクティブになったことを示すアクティブソースコマンドがＨＤＭＩ−ＣＥＣ制御線１３から受信されると、ＣＥＣ制御ユニット５３が入力ソースをＴＶユニット３からのもの、つまりＳ／ＰＤＩＦ４０からの音声信号に切り替える（ステップＳ２１２）。これにより、スピーカ５６からは、ＢＤユニット２で再生された映像の音声が出力される。
【００８３】
以上のようにこの実施形態によれば、ユーザが外部接続のＤＶＤプレーヤ４で音楽を聴いているときに内蔵のＢＤユニット２にセットされているＢＤの映像のみをディスプレイ３７に表示させたいときに、リモコン６０でＢＤユニット２の再生操作を行うと、ＴＶユニット３の制御装置３０（ＣＥＣ制御ユニット３３）は、ＰｌａｙコマンドをＢＤユニット２へ送り、それに対するメッセージ応答をＢＤユニット２のＣＥＣ制御ユニット３３は、ベンダーコマンドで返信するので、ＨＤＭＩ接続された他のソース機器に影響を与えることなくＢＤユニット２だけを動作させることができる。
【００８４】
また、ＣＥＣ制御ユニット３３は、ＢＤユニット２からベンダーコマンドでメッセージ応答を受けたときに、ＣＥＣ連動設定を確認し、設定がＯＦＦの場合は、アクティブソースコマンドをＨＤＭＩ制御線１３へ送出しないので、ＨＤＭＩケーブル６，７を介して接続されたＡＶアンプ５０がユーザの意図に反して入力ソースを切り替えることがなくなる。また設定がＯＮの場合は、ＢＤユニット２に代わりアクティブソースコマンドをＨＤＭＩ制御線１３へ送出するので、ＨＤＭＩ接続されたソース機器を通常通りＣＥＣ制御できる。
【００８５】
すなわち、ＨＤＭＩ−ＣＥＣによる制御を「使用」に設定した場合は、通常通り操作したソース機器への切り替えが可能であり、また「不使用」に設定した場合にも所定のソース機器（この場合、予め物理アドレスが記憶されている内蔵のＢＤユニット２）については操作が可能である。
【００８６】
この結果、１つ以上のソース機器（内蔵するＢＤユニット２，外部接続のＡＶアンプ５０，ＤＶＤプレーヤ４等）を、ＨＤＭＩケーブル５，６，７を介して接続しかつこれらのソース機器をＨＤＭＩ−ＣＥＣ制御線１３で制御するときに、ソース機器に対する機器制御機能を「使用」または「不使用」のいずれかに設定可能な場合に、機器制御機能の設定状況によって、ソース機器が、利用者が意図しない動作を起こすことを防止することができる。
【００８７】
また、内蔵するソース機器（ＢＤユニット２）の制御に、ＨＤＭＩ−ＣＥＣ制御線１３とは別に設けた専用線を用いる必要がないため、内蔵するソース機器の制御と外部接続されるソース機器（ＤＶＤプレーヤ４）のＨＤＭＩ−ＣＥＣ制御とのための連携機能部品を開発する必要がなくコスト低減を図ることができる。
【００８８】
さらに、ＴＶユニット３と内蔵したＢＤユニット２との間の制御をＨＤＭＩケーブル５のＨＤＭＩ−ＣＥＣ制御線１３で行い、このＨＤＭＩ−ＣＥＣ制御線１３はＴＶ筐体１の外部入力用のＨＤＭＩ入力端子１９に接続されるＨＤＭＩケーブル６のＨＤＭＩ−ＣＥＣ制御線１３と共通にすることで、回路と制御を簡略化することが可能となりコストの増加を抑えることができる。
【００８９】
通常、ＨＤＭＩ規格上では、ＨＤＭＩ−ＣＥＣ制御線１３を共通にしてＨＤＭＩ入力端子１９にＤＶＤプレーヤ４が接続されることで、ＴＶ筐体１に内蔵されたＢＤユニット２がアクティブソースコマンドを送信するが、この場合に、ＡＶアンプ５０への入力ソースの切り替えが必要ない場合にもＡＶアンプ５０が入力ソースを切り替えてしまうという問題や、ＤＶＤプレーヤ４を停止したくない場合にブロードキャストされたアクティブソースコマンドで停止してしまうなどの問題が生じた。例えばＴＶユニット３側の設定でＨＤＭＩ−ＣＥＣによる制御機能を「ＯＦＦ」（不使用または無効）にした場合や、内蔵のＢＤユニット２の再生映像をＷウインドウ（マルチウインドウ）の小画面などに表示する場合がこの問題に該当する。
【００９０】
そこで、本実施形態では、ＨＤＭＩ−ＣＥＣによる制御機能が「ＯＦＦ」（不使用または無効）に設定されている状態で、ＢＤユニット２を再生操作すると、制御装置３０のＣＥＣ制御ユニット３３から受け取ったＰｌａｙコマンド（再生指示）に対してＢＤユニット２のＣＥＣ制御ユニット２３がベンダーコマンド（ダイレクトコマンド）で制御装置３０にのみ応答を返すので、外部接続のＡＶアンプ５０やＤＶＤプレーヤ４が意図しない動作をすることを防止できる。またＨＤＭＩ−ＣＥＣ制御線１３を１チャネルしか持たないシステムにおいても安定した動作が得られる。これによりＨＤＭＩ−ＣＥＣ制御線１３を２チャンネルするためのコストアップや開発コストを抑えることが可能となり、ユーザに使い勝手の良いシステムを提供することができる。
【００９１】
なお、本願発明は、上記実施形態のみに限定されるものではなく、実施段階ではその要旨を逸脱しない範囲で構成要素を変形してもよい。
上記実施形態では、ＤＶＤプレーヤ４で音楽を聴きながら、ＢＤユニット２でＢＤの映像をディスプレイ３７に表示する例について説明したが、この他、Ｗウインドウの２つの小画面うち、どちらの映像（入力ソース）の音声を出力するかを選択する場合に有効である。
【００９２】
すなわち、映像・音声処理ユニット３６は、ＤＶＤプレーヤ４の再生映像を主画面に、ＢＤユニット２の再生映像を子画面にディスプレイ３７に同時に表示しているものとする。このように子画面に再生映像が表示されているＢＤユニット２に対するユーザの操作が行われてＢＤユニット２がアクティブな状態に変化した場合に、ＣＥＣ制御ユニット３３はＢＤユニット２がアクティブな状態に変化したことを示すアクティブソースコマンドをＨＤＭＩ−ＣＥＣ制御線１３へ送信しない。
【００９３】
そして、ユーザにリモコン６０が操作されて、システム制御ユニット３１が主画面と子画面を入れ替え、ＢＤユニット２の再生映像が主画面、ＤＶＤプレーヤ４の再生映像が子画面に変化した場合に、ＢＤユニット２がアクティブな状態に変化したことを示すアクティブソースコマンドをＨＤＭＩ−ＣＥＣ制御線１３へ送信する。
つまり、ＢＤユニット２の再生映像が主画面に表示されている状態でＢＤユニット２がアクティブな状態に変化した場合にアクティブソースコマンドをＨＤＭＩ−ＣＥＣ制御線１３へ送信する。
【００９４】
このように、映像・音声処理ユニット３６が、ディスプレイ３７の画面を分割し、２つ以上の異なるソースを同時に表示するマルチウインドウ機能を有している場合、ＢＤユニット２の映像ソースとその他のソースが同時にディスプレイ３７にいくつかの小画面で表示されるときに、ＢＤユニット２からのベンダーコマンドをＣＥＣ制御ユニット３３が受信すると、ＣＥＣ制御ユニット３３はＢＤユニット２がアクティブな状態になったことを示すアクティブソースコマンドを送信しないことで、ユーザが意図しないうちに音声出力がＢＤユニット２の側に切り替えられることを防止することができる。
【００９５】
また、ベンダーコマンド以外で、ＢＤユニット２がアクティブな状態に変化したことをＣＥＣ制御ユニット３３が検出する場合、例えばＢＤユニット２のＣＥＣ制御ユニット２３から受信されるデッキステータスコマンドの通知内容をＣＥＣ制御ユニット３３が確認し、その内容が停止ではなく録画、再生、早送り、巻戻し等のようにＢＤユニット２を動作させる内容の場合に、ＢＤユニット２がアクティブな状態に変化したものと判定してもよい。
【００９６】
ＢＤユニット２から受信されるコマンドではなく、例えばＣＥＣ制御ユニット３３がＢＤユニット２へ送信するコマンドのうち、例えばプレイフォワードコマンド等のＢＤユニット２を宛先とする特定のコマンドを送信した場合にＢＤユニット２がアクティブな状態になるものと判定してもよい。
【００９７】
この他、ＴＶユニット３の側にＣＥＣ連動設定がない場合には以下のような動作を行うようにしてもよい。ＢＤユニット２のＣＥＣ制御ユニット２３は、再生を開始するなどの動作によりＢＤユニット２がアクティブな状態になったことをベンダーコマンドでＣＥＣ制御ユニット３３へ通知し、ＣＥＣ制御ユニット３３はＢＤユニット２からベンダーコマンドを受信した場合に、ＢＤユニット２についてはダイレクトコマンドで制御しつつＢＤユニット２がアクティブな状態に変化したことを示すアクティブソースコマンドをＨＤＭＩ−ＣＥＣ制御線１３へ送信する。この場合、ＢＤユニット２から送信されるコマンドがベンダーコマンドであっても、ＣＥＣ制御ユニット３３がＢＤユニット２に代わり、アクティブソースコマンドを送信するので、通常のＨＤＭＩ−ＣＥＣ制御機能を実現できる。
【００９８】
また上記実施形態で説明した各構成要素を、コンピュータのハードディスク装置などのストレージにインストールしたプログラムで実現してもよく、また上記プログラムを、コンピュータ読取可能な電子媒体：electronic mediaに記憶しておき、プログラムを電子媒体からコンピュータに読み取らせることで本発明の機能をコンピュータが実現するようにしてもよい。電子媒体としては、例えばＣＤ−ＲＯＭ等の記録媒体やフラッシュメモリ、リムーバブルメディア（Removable media）等が含まれる。さらに、ネットワークを介して接続した異なるコンピュータに構成要素を分散して記憶し、各構成要素を機能させたコンピュータ間で通信することで実現してもよい。
【符号の説明】
【００９９】
１…ＴＶ筺体、２…ＢＤユニット（第２のソース機器、所定のソース機器）、３…ＴＶユニット、４…ＤＶＤプレーヤ、５〜７…ＨＤＭＩケーブル、８…電源ユニット、６０…リモートコントローラ（リモコン）、１０…受付ユニット、１９，２９，３９，５９…ＨＤＭＩ入力端子、１３…ＨＤＭＩ−ＣＥＣ制御線、２１…候補メモリ、２２…保持部、２３，３３，４３，５３…ＣＥＣ制御ユニット、３０…制御装置、３２…ＨＤＭＩレシーバ、３４…メモリ、３４ａ…連動設定記憶部、３４ｂ…アドレス記憶部、３７…ディスプレイ、４０…Ｓ／ＰＤＩＦ、５０…ＡＶアンプ（第１のソース機器）、５６…スピーカ。
【図１】
2011146778.tif 000003
【図２】
2011146778.tif 000004
【図３】
2011146778.tif 000005
【図４】
2011146778.tif 000006